(57)【要約】【課題】本発明は、市販のイヤホンをそのまま利用しつつ、イヤホンヘッドを携帯音楽音声端末に着脱自在に定着せしめ、巻き付けせずにコードの断線のおそれを低減させてイヤホンの絡みを防止し、イヤホンを保持しない時にはスタンドにも応用できる多機能なイヤホン保持具を提供することを目的とする。【解決手段】開示のイヤホン保持具は、携帯音楽音声端末の裏面に対して装備された強靭で弾力性のある素材でできた雄部、雌部からなる二枚の扁平状の部材から構成され、雄雌部を連結させる結合部にはヒンジの機能を持ち、雄部は先端に係止片、雌部の先端にはこれを収納する嵌合部を有し、係止片先端もしくは嵌合部先端側片にはスタンド使用時のための滑り止め部を装備し、少なくとも前記雄部もしくは雌部のどちらか一方の内表面には、イヤホンコード保持のための滑り止め部を装備していることで課題を解決する。【選択図】図１
2014133113.tif 000002
【特許請求の範囲】
【請求項１】
携帯音楽音声端末にイヤホンプラグを装着させたまま、イヤホンコードを一切巻き付かせず、前記携帯音楽音声端末裏面上にイヤホンヘッドの根元部分のイヤホンコードのみに限定して挟持し、イヤホンヘッドを拘止させ、イヤホンコードを携帯音楽音声端末を介して環状にすることを保持することにより、鞄などに収納し、その後の移動などによる振動を経た後、イヤホンヘッドを拘止から解放した時に一切の厄介な本結びによる結び目を発生させず、且つイヤホンヘッドを拘止しない時はスタンドにも応用できる多機能なイヤホン保持具であって、少なくとも前記携帯音楽音声端末の本体裏面もしくは携帯音楽音声端末を装着したケース裏面に対して装備された雄部挟み込み部材(以下、雄部と略す)、雌部挟み込み部材(以下、雌部と略す)からなる二枚の扁平状の部材から構成され、前記雄部と雌部のそれぞれの一辺同士を連結させる結合部にはヒンジの機能を持ち、前記雄部は先端に係止片、雌部の先端にはこれを収納する嵌合部を有し、係止片先端もしくは嵌合部先端の側片にはスタンド使用時のための滑り止め部を装備して、少なくとも前記雄部もしくは雌部のどちらか一方の内表面には、イヤホンコード保持のための滑り止め部を装備して、両部材本体は強靭で弾力性のある素材でできたものであり、雄雌部嵌合時の両部材間にはイヤホンコードを安全に挟持するための若干の隙間があり、雄雌部開放時の両部材間にはスタンドとして利用できる角度を有することを特徴とするイヤホン保持具。
【請求項２】
前記雄部もしくは雌部の内表面に有する滑り止め部が縞状に配置されていることを特徴とする請求項1に記載のイヤホン保持具。
【請求項３】
前記雄部もしくは雌部のどちらか一方の内表面に、雄雌部嵌合時に挟持するコードへの過度な圧迫を未然に防ぐ隙間の確保を補助するストッパーとしての突起物を設けたことを特徴とする請求項1又は２に記載のイヤホン保持具。
【請求項４】
前記雄部、雌部の間の結合部のヒンジが弾性ヒンジであることを特徴とする請求項1から3に記載のイヤホン保持具。
【請求項５】
前記雄部、雌部の間の結合部のヒンジが枢着軸であることを特徴とする請求項1から3に記載のイヤホン保持具。
【請求項６】
前記雄部の外表面と前記雌部の外表面のどちらか一方に、携帯音楽音声端末の本体裏面もしくは携帯音楽音声端末を装着したケース裏面に接合させるための粘着部が装置されていることを特徴とする請求項1から5のいずれかに記載のイヤホン保持具。
【請求項７】
前記雄部の外表面と前記雌部の外表面のどちらか一方が、携帯音楽音声端末の本体裏面もしくは携帯音楽音声端末を装着したケース裏面と一体化されていることを特徴とする請求項1から5のいずれかに記載のイヤホン保持具。
【請求項８】
前記雄部の外表面と前記雌部の外表面のどちらか一方に、自由に文字又は図柄もしくは立体的な造形を入れることが出来る場所が設けられることを特徴とする請求項1から7のいずれかに記載のイヤホン保持具。
【請求項９】
前記雄部の先端、雌部の先端の嵌合部にはそれぞれお互いを固定可能で着脱自在な雄雌ホックが装着されていることを特徴とする請求項１から８のいずれかに記載のイヤホン保持具。
【請求項１０】
前記雄部の先端、雌部の先端の嵌合部にはそれぞれお互いを固定可能で着脱自在な磁石が装着されていることを特徴とする請求項１から８のいずれかに記載のイヤホン保持具。
【請求項１１】
前記雄部の先端、雌部の先端の嵌合部にはそれぞれお互いを固定可能で着脱自在な雄雌面ファスナーが装着されていることを特徴とする請求項１から８のいずれかに記載のイヤホン保持具。
【請求項１２】
雄部材もしくは雌部材の携帯音楽音声端末本体の裏面側に接合される外表面、あるいはヒンジ部及びその付近に、本体との定着を促進し、スタンドとしての機能の安定性を向上させる補助部位として、イヤホンコードのプラグを雄部材として咬合させるための雌部材が装備されていることを特徴とする請求項１から10のいずれかに記載のイヤホン保持具。
【発明の詳細な説明】
【技術分野】
【０００１】
本発明は未使用時のイヤホンコードの保持及び携帯音楽音声端末機器操作上の利便性向上に関するものである。
【背景技術】
【０００２】
近年、携帯専用音楽プレーヤーに加え、昨今ではスマートフォンなどの携帯専用通信機器を使用して気軽にイヤホンで音楽を聴いている人たちが多い。(携帯専用音楽プレーヤー、携帯専用通信機器、携帯ラジオ、携帯ゲーム機、携帯録音機、補聴器などこれらを総称して以下では携帯音楽音声端末と言うことにする。)
こうした携帯音楽音声端末は、年々技術進化して、音楽だけでなく、画面で映像なども楽しめるようになってきたため、映像を見やすいように手軽に机上に携帯音楽音声端末を立てる後付け可能なスタンドが、携帯音楽音声端末用の周辺機器の中で需要が高まっている。【０００３】
一方でイヤホンを使用しない時、多くの人は鞄やポケットの中にそのまま収納している。
再び使用する時に取り出すと、大抵イヤホンコードに結び目が発生し、それを解くのには、場合によってはかなりの労力と時間をついやさねばならない。その対策として多くの人は、イヤホンコードを携帯音楽音声端末本体か、専用のグッズに巻きつけてコードの縺れを解消している。
そうした状況下、未使用時のイヤホンコードの絡みを防止する技術について、多数の提案がなされている（特許文献１乃至７）。
【先行技術文献】
【特許文献】
【０００４】
【特許文献１】実用新案登録第３１６２５６４号公報
【特許文献２】特開２０００−１８４４８５号公報
【特許文献３】特開平１１−２５２６７８号公報
【特許文献４】特開２００９−２９０４９６号公報
【特許文献５】特許番号  特許第５００１４５４号
【特許文献６】特開２０１１−１１４８５４号公報
【特許文献７】実用新案登録第３１２１８５１号公報
【発明の概要】
【発明が解決しようとする課題】
【０００５】
しかしながら、特許文献１に記載の技術においては、カバーが携帯音楽音声端末を覆い、当該端末にイヤホンを巻き付けるため、収納・使用再開までに手間が掛かる、イヤホンコードを携帯音楽音声端末に巻き付けることによる断線のおそれがあるなどの問題点が有った。
また、多くのメーカーでは断線防止のため本体にイヤホンコードを巻き付けることを説明書で禁止している。
また、特許文献２に記載の技術においては、イヤホンの改良が必要であるなどの問題点が有った。【０００６】
また、特許文献３に記載の技術においては、イヤホンの改良が必要であるなどの問題が有った。【０００７】
また、特許文献４に記載の技術においては、イヤホンコードを携帯音楽音声端末に巻き付けることによる断線のおそれがあるなどの問題が有った。【０００８】
また、特許文献５に記載の技術においては以上と異なりコードを巻き付けずにイヤホンコードを環状にすることで絡ませない希有な発明であるが、イヤホンコードを収束する部分に滑り止めがなく、きちんとイヤホンコードが固定されない可能性があり、カバンやポケットに収納しての移動中にコードが滑りイヤホンヘッドが収納バンドから長く飛び出してコードの環状が破れ、結果コードの絡みが発生する恐れがある。また、携帯音楽音声端末本体ではなくジャックを基部としてコードを収束させているためジャックを挿したまま鞄などに収納した場合、移動などの振動により、携帯音楽音声端末本体が頭となって動くことで結果、コードが絡み、引き解け結びを発生しやすい可能性が考えられる。【０００９】
また、以上特許文献1〜５の技術には全てスタンドの機能は有していない。【００１０】
また、携帯音楽音声端末の周辺機器としてスタンドも市販されてきているが、これらは一部を除き単独の機能しか持たないものが多く、ましてイヤホンコード絡み防止のための機能も兼ね備えたものは殆ど無く、使用者はこれらの解決のためには複数の製品を購入しなければならなかった。【００１１】
その中で、特許文献７は、スタンドの機能とイヤホンコードの絡み防止の機能を兼ね備えているが、あくまでもイヤホンコードを本体に巻き付かせることで解決しようとしており、多くのメーカーが禁止する行為によりコードの断線を誘発しかねない。
また、コードを巻き付かせずイヤホンヘッドの根元部分のコードのみを固定しようとしても、コードを巻き付かせるための構造のためコードを保持する溝が広く、コード単体であると動いてしまい固定が非常に困難である。結果、イヤホンヘッドが飛び出してコードが絡み合う原因になりやすい。【００１２】
そこで、上記問題に鑑み、本発明は、市販のイヤホンをそのまま利用しながら、イヤホンヘッドを携帯音楽音声端末に着脱自在に定着せしめ、巻き付けせずにコードの断線のおそれを低減させてイヤホンの絡みを防止し、イヤホンを保持しない時にはスタンドにも応用できる多機能なイヤホン保持具を提供することを目的とする。
【課題を解決するための手段】
【００１３】
開示するイヤホン保持具の一形態は、携帯音楽音声端末にイヤホンプラグを装着させたまま、イヤホンコードを一切巻き付かせず、前記携帯音楽音声端末裏面上にイヤホンヘッドの根元部分のイヤホンコードのみに限定して挟持し、イヤホンヘッドを拘止させ、イヤホンコードを携帯音楽音声端末を介して環状にすることを保持することにより、鞄などに収納し、その後の移動などによる振動を経た後、イヤホンヘッドを拘止から解放した時に一切の厄介な本結びによる結び目を発生させず、且つイヤホンヘッドを拘止しない時はスタンドにも応用できる多機能なイヤホン保持具であって、少なくとも前記携帯音楽音声端末の本体裏面もしくは携帯音楽音声端末を装着したケース裏面に対して装備された雄部挟み込み部材(以下、雄部と略す)、雌部挟み込み部材(以下、雌部と略す)からなる二枚の扁平状の部材から構成され、前記雄部と雌部のそれぞれの一辺同士を連結させる結合部にはヒンジの機能を持ち、前記雄部は先端に係止片、雌部の先端にはこれを収納する嵌合部を有し、係止片先端もしくは嵌合部先端の側片にはスタンド使用時のための滑り止め部を装備して、少なくとも前記雄部もしくは雌部のどちらか一方の内表面には、イヤホンコード保持のための滑り止め部を装備して、両部材本体は強靭で弾力性のある素材でできたものであり、雄雌部嵌合時の両部材間にはイヤホンコート゛を安全に挟持するための若干の隙間があり、雄雌部開放時の両部材間にはスタンドとして利用できる角度を有することを特徴とする。【００１４】
前記雄部、雌部の間の結合部のヒンジが枢着軸であることを特徴とする。【００１５】
前記雄部の外表面と前記雌部の外表面のどちらか一方に、携帯音楽音声端末の本体裏面もしくは携帯音楽音声端末を装着したケース裏面に接合させるための粘着部が装置されていることを特徴とする。【００１６】
前記雄部の外表面と前記雌部の外表面のどちらか一方が、携帯音楽音声端末の本体裏面もしくは携帯音楽音声端末を装着したケース裏面と一体化されていることを特徴とする。【００１７】
前記雄部の外表面と前記雌部の外表面のどちらか一方に、自由に文字又は図柄もしくは立体的な造形を入れることが出来る場所が設けられることを特徴とする。【００１８】
前記雄部もしくは雌部の内表面に有する滑り止め部が縞状に配置されていることを特徴とする。【００１９】
前記雄部もしくは雌部のどちらか一方の内表面に、雄雌部嵌合時に挟持するコードへの過度な圧迫を未然に防ぐ隙間の確保を補助するストッパーとしての突起物を設けたことを特徴とする。【００２０】
前記雄部、雌部の間の結合部のヒンジが弾性ヒンジであることを特徴とする。
【発明の効果】
【００２１】
開示するイヤホン保持具は、市販のイヤホンをそのまま利用しつつ、収納・使用再開時の手間が少なく、収納形態に基づくコード内断線のおそれも低い状態で、未使用時、携帯音楽音声端末に装着したイヤホンの絡みが防止出来るとともに、イヤホンを保持しない時にはスタンドにも応用できる。
【図面の簡単な説明】
【００２２】
【図１】本実施の形態に係るイヤホン保持具の雄雌部開放状態を示す図である。
【図２】本実施の形態に係るイヤホン保持具の雄雌部嵌合状態を示す図である。
【図３】本実施の形態に係るイヤホン保持具(雄雌部開放状態)の側面図である。
【図４】本実施の形態に係るイヤホン保持具(雄雌部嵌合状態)の側面図である。
【図５】本実施の形態に係るイヤホン保持具の基部内表面図である。
【図６】本実施の形態に係るイヤホン保持具の基部外表面図である。
【図７】本実施の形態に係るイヤホン保持具(弾性ヒンジの場合)のスタンドでの使用状態の斜視図である。
【図８】本実施の形態に係るイヤホン保持具(枢着軸の場合)のスタンドでの使用状態の斜視図である。
【図９】本実施の形態に係るイヤホン保持具の雌部外表面が携帯音楽音声端末裏面に装備された場合の使用状態を示す図である。
【図１０】本実施の形態に係るイヤホン保持具にイヤホンコードのプラグと咬合させる雌部材を装備した場合を示す図である。
【図１１】本実施の形態に係るイヤホン保持具にイヤホンコードのプラグと咬合させる雌部材を装備した場合の斜視図である。
【図１２】本実施の形態に係るイヤホン保持具にイヤホンコードのプラグと咬合させる雌部材を装備した場合の長手方向の側面図である。
【図１３】本実施の形態に係るイヤホン保持具にイヤホンコードのプラグと咬合させる雌部材を装備した場合の短手方向の側面図である。
【発明を実施するための形態】
【００２３】
図面を参照しながら、本発明を実施するための形態について説明する。
（携帯音楽音声端末に装着したイヤホンが絡まる原因）
【００２４】
一般に携帯音楽音声端末３を使用しないとき、イヤホン２ごと鞄やポケットに収納し、必要なときに取り出して使用する。そのとき、イヤホンコード５が絡み合ってそれを解くのに大変な労力を費やし、絡み合ったイヤホンコード５を解き、携帯音楽音声端末３の使用を開始するまでに長い時間が掛かる場合も多々あったりする。
【００２５】
上記のように、イヤホン２が絡み合う原因は、イヤホンヘッド４が二股に分かれていることに加え、イヤホンコード５が長いため、収納時にイヤホンヘッド４が移動自在となっていることに有るものと考える。
【００２６】
そこで、本実施の形態に係るイヤホン保持具１は、収納時のイヤホンヘッド４の根元のコードを固定することによって、イヤホンヘッド4の移動を制限し、未使用時の携帯音楽音声端末３に装着したイヤホン2が絡み合うことを防止するものである。
（本実施の形態に係るイヤホン保持具の構造）
図１乃至図９を用いて、本実施の形態に係るイヤホン保持具１について説明する。図１及び図２は、イヤホン保持具１の雄雌部開放状態及び雄雌部嵌合状態を示す図である。
【実施例】
【００２７】
図１又は図２で示すように、イヤホン保持具１は、携帯音楽音声端末３に装備された雄部挟み込み部材(以下、雄部と略す)と雌部挟み込み部材(以下、雌部と略す)の二枚からなる扁平状の部材からなる器具である。また、携帯音楽音声端末３が備えるイヤホンジャックにイヤホンプラグ６を挿し込んだ状態で、イヤホン保持具１は使用する。そして、イヤホン保持具１は、雄雌部材によってコードを固定しイヤホンヘッド４を携帯音楽音声端末３に拘止させた状態を保持させ、また、イヤホン保持具１は、イヤホンコード（イヤホン２）を環状態に形成させ、その状態を保持させる。
【産業上の利用可能性】
【００２８】
こうすることによって、イヤホン保持具１は、収納時のイヤホンヘッド４の移動を制限するため、未使用時の携帯音楽音声端末３に装着したイヤホンコード５が絡み合うことを防止することができる。なお、イヤホン保持具１は、既存のイヤホン２を使用することができるため、この器具を新たに製作する手間を省くことができる。また、イヤホン保持具１は、イヤホン２の先端部を携帯音楽音声端末３に拘止させるだけの操作なので、巻き付けるなどの作業よりは遥かに収納時・使用再開時の手間が小さい。さらに、イヤホン保持具１は、イヤホン２を携帯音楽音声端末３に巻き付けることを要しないので、イヤホンコード５が断線するおそれを大幅に小さくすることができる。【００２９】
また、イヤホン保持具1は、イヤホンヘッドの拘止によるコードの絡み防止以外に、イヤホン使用時にはスタンドにも代用出来る機能を持つことを特徴とする。【００３０】
図１及び２で示すように、イヤホン保持具１は、雄部７、雌部８からなり雄部と雌部の間の結合部にはヒンジの機能を有する。【００３１】
次に、図３乃至図７を用いて、イヤホン保持具１の具体的な構成について説明する。図
３は雄雌部開放状態の側面図、図４は雄雌部嵌合状態の側面図、図５は雄雌部の基部内表面図(イヤホンコード保持側)、図6は雄雌部の基部外表面図、図７はヒンジ部９を弾性ヒンジにした場合のスタンド使用時の斜視図である。【００３２】
雄部７には、先端に係止片１４、雌部８の先端にはこれを収納する嵌合部１２を有し、係止片先端もしくは嵌合部先端側片１３には、スタンド用滑り止め部１１を装備している。【００３３】
雄部と雌部のそれぞれ一辺同士を連結させる結合部にはヒンジ部９を有する。【００３４】
雄部もしくは雌部の少なくとも一方の内表面にはイヤホンコード保持用滑り止め部１０を有し、コードの確実な滑り止めを促進させるために縞状に配置されている。【００３５】
雄部もしくは雌部のどちらか一方の内表面には雄雌部嵌合時にコードを過度に圧迫して傷つけるのを防止する隙間の確保を補助する突起物であるストッパー部１５を有する。【００３６】
雄部もしくは雌部のどちらか一方の外表面には、携帯音楽音声端末の本体裏面もしくは携帯音楽音声端末を装着したケースの裏面に接合させるための粘着部１７を有する。【００３７】
雄部もしくは雌部のどちらか一方の外表面には、自由に文字や図柄もしくは立体的な造形を入れることができる部分１６を有する。【００３８】
材質として、イヤホン保持具１本体は、スタンドとして使用する際に机上に安定的に着座せしめるために強靭で且つ雄雌の円滑な嵌合ために弾力性のある素材が好ましい。また、イヤホンコード保持用滑り止め部１０やスタンド用滑り止め部１１にはゴムやポリウレタン樹脂のように弾力性・粘着性のある材質であることが好適である。【００３９】
図１、図２、図３、図４、及び図７を用いて、イヤホン保持具1の使用方法について説明する。第一の手順として、イヤホン保持具の使用者１８は、携帯音楽音声端末３のイヤホンジャックにイヤホンプラグ６を差し込んだまま、イヤホンヘッド４の先端をイヤホンジャックに向けた状態で、イヤホンヘッド４の根元部分にあたるイヤホンコード５を携帯音楽音声端末裏面に装備された雄部７の内表面上に置く。【００４０】
第二の手順として、使用者１８は雌部８の嵌合部先端側片１３を押さえてイヤホンコード５が雄部内表面に置かれた状態で雄部の係止片１４を両部材の弾力性を利用して雌部の嵌合部１２に嵌合させる。この時、ストッパー部１５の突起物も補助して雄雌部材間に隙間が生じ、両部材に過度に圧迫されることなくイヤホンコード５は雄部７に有する滑り止め部１０によって押止されている。
結果、イヤホンヘッド４は先端をイヤホンジャックに向けたまま、携帯音楽音声端末裏面上に固定され、イヤホン２は環状態となる。
第三の手順としては、使用者１８は、携帯音楽音声端末３及びイヤホン２を鞄や衣服に収納する。【００４１】
第四の手順として、使用者１８は、携帯音楽音声端末３及びイヤホン２の使用再開にあたり、これらを収納場所から取り出し、雄雌部材の嵌合状態を開放して携帯音楽音声端末３及びイヤホン２の使用を再開する。携帯音楽音声端末３及びイヤホン２が所定場所に収納されている間、イヤホンヘッド４は自在に動かずにイヤホン２の環状態が保持されているため、イヤホン２は結び目(本結び)が決して発生しない。よって使用者１８はスムーズに携帯音楽音声端末３の使用を再開することができる。さらに雄雌部材の嵌合状態の開放については、雌部の嵌合部先端側片１３を押すだけで実現できるため、イヤホンコード５を簡単に取り外すことができ、スムーズ且つ短時間の再開が実現可能である。(雄雌部材の嵌合状態を開放する際は、イヤホンヘッドを掴持した上で本イヤホン保持具を下に向けた状態で開放すると更に速やかに再開できる)【００４２】
さらに、図７、図８のように、その雄部もしくは雌部の端部を机上に着座させることにより、スタンドとして可能となり、動画の鑑賞などに利便性を発揮する。【００４３】
また、図８のようにヒンジ部９は枢着軸で使用することも可能である。【００４４】
さらに、図９のように雌部８の方を携帯音楽音声端末３の裏面に装備して使用することも可能である。【００４５】
また、前記雄部の外表面と前記雌部の外表面のどちらか一方が、携帯音楽音声端末の本体裏面もしくは携帯音楽音声端末を装着したケース裏面と一体化されて使用することも可能である。【００４６】
前記雄部の先端、雌部の先端の嵌合部にはそれぞれお互いを固定可能で着脱自在な雄雌ホックが装着されていることも可能である。【００４７】
前記雄部の先端、雌部の先端の嵌合部にはそれぞれお互いを固定可能で着脱自在な磁石が装着されていることも可能である。【００４８】
前記雄部の先端、雌部の先端の嵌合部にはそれぞれお互いを固定可能で着脱自在な雄雌面ファスナーが装着されていることも可能である。【００４９】
携帯音楽音声端末裏面の形状や材質により、粘着が困難で本イヤホン保持具を本体裏面に定着しにくい場合も考えられる。
そこで、図１０、図１１、図１２、図１３のように雄部材もしくは雌部材の携帯音楽音声端末本体の裏面側に接合される外表面、あるいはヒンジ部及びその付近に、本体との確実な定着を促進し、スタンドとしての機能の安定性を向上させる補助的な部位として、イヤホンコードのプラグを雄部材として咬合させるための雌部材を装備することも可能である。【００５０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５１】
１    イヤホン保持具
２    イヤホン
３    携帯音楽音声端末
４    イヤホンヘッド    
５    イヤホンコード
６    イヤホンプラグ(咬合時の雄部)
７    雄部挟み込み部材
８    雌部挟み込み部材
９    ヒンジ部
１０  イヤホンコード保持用滑り止め部
１１  スタンド用滑り止め部
１２  嵌合部
１３  嵌合部先端側片
１４  係止片
１５  ストッパー部
１６  文字・図柄
１７  粘着部
１８  イヤホン保持具の使用者
１９  イヤホンプラグとの咬合用の雌部
【図１】
2014133113.tif 000003
【図２】
2014133113.tif 000004
【図３】
2014133113.tif 000005
【図４】
2014133113.tif 000006
【図５】
2014133113.tif 000007
【図６】
2014133113.tif 000008
【図７】
2014133113.tif 000009
【図８】
2014133113.tif 000010
【図９】
2014133113.tif 000011
【図１０】
2014133113.tif 000012
【図１１】
2014133113.tif 000013
【図１２】
2014133113.tif 000014
【図１３】
2014133113.tif 000015
【国際調査報告】
2014133113.tif 000016
2014133113.tif 000017
2014133113.tif 000018
2014133113.tif 000019